(57)【要約】【課題】身体に保持させる際の周長さを調整でき、体格の異なる種々の人に適応できるとともに、身体の各部に適応できる温熱具の提供を目的とする。【解決手段】材料収納部４を有する袋体２と、材料収納部４に収納された温熱材料３とを備えている。袋体２には、長手方向の左端側から右端側に順次、雌雄一対の第３雄ボタン片５５と第３雌ボタン片５６とからなる第３係止部材と、雌雄一対の第１雄ボタン片５１と第１雌ボタン片５２とからなる第１係止部材と、雌雄一対の第２雄ボタン片５３と第２雌ボタン片５４とからなる第２係止部材と、雌雄一対の第４雄ボタン片５７と第４雌ボタン片５８とからなる第４係止部材とが設けられており、身体に保持させる際の周長さを調整可能とされている。【選択図】図１
2009225828.tif 000002
【特許請求の範囲】
【請求項１】
温熱材料を収納した変形自在な袋体を身体の一部に巻き付けるようにして、その袋体の両側方側夫々に設けられた係止部材同士を係止することにより前記身体の一部に保持させるようにした温熱具であって、
前記袋体は、細長状のものから構成され、
前記係止部材は、前記袋体における長手方向の一側方側に、互いに前記長手方向に距離をもって配置された第１係止部材と第３係止部材とを備えているとともに、前記袋体における長手方向の他側方側に、互いに前記長手方向に距離をもって配置された第２係止部材と第４係止部材とを備え、
前記第１係止部材及び第３係止部材の夫々は、前記第２係止部材及び第４係止部材の夫々に係脱自在に係止し得るように構成されていることを特徴とする温熱具。
【請求項２】
前記袋体の長手方向の一端には、その一端から突出した第１操作把持部が設けられ、
前記袋体の長手方向の他端には、その他端から突出した第２操作把持部が設けられ、
前記係止部材は、前記第１操作把持部に設けられた第５係止部材と、前記第２操作把持部に設けられ前記第５係止部材に係脱自在に係止可能な第６係止部材とを備えていることを特徴とする請求項１に記載の温熱具。
【請求項３】
前記第５係止部材は、前記第２係止部材及び第４係止部材の夫々と係脱自在に係止し、
前記第６係止部材は、前記第１係止部材及び第３係止部材の夫々と係脱自在に係止し得るように構成されていることを特徴とする請求項２に記載の温熱具。
【請求項４】
前記袋体は、前後一対の前片及び後片を備えているとともに、それらの前片と後片との間に前記温熱材料を収納した材料収納部を備え、
前記第３係止部材と第４係止部材との間に、前記第１係止部材と第２係止部材とが配置され、
前記第１係止部材と第２係止部材との少なくとも一つは、前記袋体の幅方向に互いに距離をもって配置された２つの係止片を備え、
前記係止片は、夫々、前記前片と後片とに、それらの一部同士を連結するようにして取り付けられ、
前記材料収納部は、前記２つの係止片によって、隣接する２つの区画収納室に区画されているとともに、それらの区画収納室の間、且つ、前記２つの係止片の間に、前記温熱材料を相互に移動可能に形成された狭小口によって、それらの区画収納室が互いに連通するように構成されていることを特徴とする請求項１〜３のいずれか一項に記載の温熱具。
【請求項５】
前記袋体は、弾性を有していることを特徴とする請求項１〜４のいずれか一項に記載の温熱具。
【発明の詳細な説明】
【技術分野】
【０００１】
本発明は、身体の一部に当てて当該一部を温めるのに用いられる温熱具に関するものである。
【背景技術】
【０００２】
温熱材料を収納した変形自在な袋体を身体の一部に巻き付け、その袋体の両側方側夫々に設けられた係止部材同士を係止することにより前記身体の一部に保持させて当該一部を温めるようにした温熱具は、従来から知られている。このような温熱具として、例えば本出願人が提案した温熱パッドがある。この温熱パッドは、両端に互いに係止する面ファスナー（係止部材）が設けられており、袋体を身体の一部に巻き付けるようにして、その状態で面ファスナー同士を係止することにより、当該一部に保持させることができるようにしたものである（特許文献１、図７参照）。
【特許文献１】特許第３１０８０６４号公報
【発明の開示】
【発明が解決しようとする課題】
【０００３】
しかしながら、上記特許文献１に記載のものにおいては、面ファスナー同士を係止した状態での温熱パッドの周長さ（径の大きさ）がほぼ一定となる。そのため、例えば面ファスナー同士を係止した際の温熱パッドの周長さを、平均的な人の首部にちょうど巻き付けることができる程度に設定しておくと、首部の細い人に対しては温熱パッドの周長さが首回りよりも長くなり、両者の間に隙間ができてしまう。その一方、首部の太い人に対しては、温熱パッドの周長さが首周りよりも短くなって、温熱パッドを首部に保持させ難く、体格の異なる種々の人に適応し難いという問題点がある。
【０００４】
又、上記のように温熱パッドを首部にちょうど巻き付けることができる程度に設定しておくと、例えば肘に巻き付けた場合には、温熱パッドの周長さが肘よりも長くなり、両者の間に隙間ができてしまう。一方、例えば足の太ももに、その温熱パッドを巻き付けようとすると、温熱パッドの周長さが太ももよりも短く、太ももに温熱パッドを保持させ難く、身体の各部に適応し難いという問題点がある。
【０００５】
本発明は、身体に保持させる際の周長さを調整でき、体格の異なる種々の人に適応できるとともに、身体の各部に適応できる温熱具の提供を目的とする。
【課題を解決するための手段】
【０００６】
本発明は、以上の実情に鑑み提案されたもので、次の特徴を有する温熱具を提供することにより、上記課題を解決する。本願の請求項１記載の発明は、温熱材料を収納した変形自在な袋体を身体の一部に巻き付けるようにして、その袋体の両側方側夫々に設けられた係止部材同士を係止することにより前記身体の一部に保持させるようにした温熱具であって、前記袋体は、細長状のものから構成され、前記係止部材は、前記袋体における長手方向の一側方側に、互いに前記長手方向に距離をもって配置された第１係止部材と第３係止部材とを備えているとともに、前記袋体における長手方向の他側方側に、互いに前記長手方向に距離をもって配置された第２係止部材と第４係止部材とを備え、前記第１係止部材及び第３係止部材の夫々は、前記第２係止部材及び第４係止部材の夫々に係脱自在に係止し得るように構成されていることを特徴とする温熱具である。
【０００７】
請求項２記載の発明は、請求項１に係る発明の前記袋体は、細長状のものから構成され、前記袋体の長手方向の一端には、その一端から突出した第１操作把持部が設けられ、前記袋体の長手方向の他端には、その他端から突出した第２操作把持部が設けられ、前記係止部材は、前記第１操作把持部に設けられた第５係止部材と、前記第２操作把持部に設けられ前記第５係止部材に係脱自在に係止可能な第６係止部材とを備えていることを特徴とする温熱具である。
【０００８】
請求項３記載の発明は、請求項２に係る発明の前記第５係止部材は、前記第５係止部材は、前記第２係止部材及び第４係止部材の夫々と係脱自在に係止し、前記第６係止部材は、前記第１係止部材及び第３係止部材の夫々と係脱自在に係止し得るように構成されていることを特徴とする温熱具である。
【０００９】
請求項４記載の発明は、請求項１〜３のいずれか一項に係る発明の前記袋体は、前後一対の前片及び後片を備えているとともに、それらの前片と後片との間に前記温熱材料を収納した材料収納部を備え、前記第３係止部材と第４係止部材との間に、前記第１係止部材と第２係止部材とが配置され、前記第１係止部材と第２係止部材との少なくとも一つは、前記袋体の幅方向に互いに距離をもって配置された２つの係止片を備え、前記係止片は、夫々、前記前片と後片とに、それらの一部同士を連結するようにして取り付けられ、前記材料収納部は、前記２つの係止片によって、隣接する２つの区画収納室に区画されているとともに、それらの区画収納室の間、且つ、前記２つの係止片の間に、前記温熱材料を相互に移動可能に形成された狭小口によって、それらの区画収納室が互いに連通するように構成されていることを特徴とする温熱具である。
【００１０】
請求項５記載の発明は、請求項１〜４のいずれか一項に係る発明の前記袋体は、弾性を有していることを特徴とする温熱具である。
【発明の効果】
【００１１】
本発明の請求項１によれば、袋体における長手方向の一側方側に設けられた第１係止部材と第３係止部材との夫々は、袋体における長手方向の他側方側に設けられた第２係止部材と第４係止部材との夫々に係脱自在に係止し得るように構成されている。
【００１２】
こうすることにより、例えば第１係止部材と、第２係止部材又は第４係止部材とを係止し、或いは、第３係止部材と、第２係止部材又は第４係止部材とを係止すれば、身体に保持させる際の周長さを変えることができる。
【００１３】
従って、身体の首部、腕の各部、或いは足の各部等に応じて、周長さを調整でき、身体の各部に確実に保持できる。
【００１４】
請求項２によれば、袋体の長手方向の一端には、第１操作把持部が設けられ、他端には、第２操作把持部が設けられている。
【００１５】
こうすることにより、操作把持部によって、温熱具を、身体の各部にあてがう際等の操作を容易に行うことができる。
【００１６】
又、第１操作把持部に設けられた第５係止部材と第２操作把持部に設けられ第６係止部材とを係止することにより、身体に保持する際の周長さを長くすることができる。従って、腰部等の周長さの長い部分にも巻き付けて保持させることができる。
【００１７】
請求項３によれば、第５係止部材は、前記第２係止部材及び第４係止部材の夫々と係脱自在に係止し、第６係止部材は、前記第１係止部材及び第３係止部材の夫々と係脱自在に係止し得るように構成されている。
【００１８】
これにより、身体に保持する際の周長さの調整幅を大きくでき、より多くの身体の部分に保持させることができる。
【００１９】
請求項４によれば、材料収納部は、２つの係止片によって、隣接する２つの区画収納室に区画されているとともに、それらの区画収納室の間、且つ、前記２つの係止片の間に、前記温熱材料を互いに移動可能に形成された狭小口によって、それらの区画収納室が互いに連通するように構成されている。
【００２０】
材料収納部に温熱材料が収納された状態では、袋体の幅方向の中央部が膨らんだ状態になる。そのため、例えば袋体を身体の一部に巻き付けてその袋体の一側方側の径外側に他側方側を重ね合わせるようにして、その一側方側に設けられた係止部材と、他側方側に設けられた係止部材とを係止させるのは困難になるとともに、係止した係止部材同士が外れ易い。
【００２１】
そこで、上記請求項４のように構成することにより、例えば隣接する一方の区画収納室温熱材料を他方の区画収納室に移し入れることにより、一方の区画収納室を温熱材料のない空の状態又は温熱材料が少ない状態にできる。これにより、その区画収納室を形成する袋体の部分をシート状の変形し易い状態にできる。従って、例えば袋体の一側方側の径外側に、他側方側を重ね合わせる際、その他側方側となる区画収納室を上記空の状態又は少ない状態の状態にしておけば、一側方側の外周に沿わせて他側方側を変形させることができる。よって、一側方側に設けられた係止部材と、他側方側に設けられた係止部材とを容易に係止できるとともに、両者を係止した後も両者の係止が外れ難いものにできる。
【００２２】
請求項５によれば、袋体は、弾性を有しているため、材料収納部の長さを伸縮できるとともに、袋体を、身体に密接させ易くでき、効率良く温めることができる。
【発明を実施するための最良の形態】
【００２３】
以下、本発明を実施するための最良の形態について、図面を参照しながら詳細に説明する。図１は、本発明の一実施の形態の温熱具の正面図、図２は、その温熱具の背面図、図３は、その温熱具の平面図、図４は、図１のＩＶ−ＩＶ線断面図である。
【００２４】
本発明の温熱具１は、袋体２と、袋体２内に収納された温熱材料３とを備えている。袋体２は、左右方向の長手方向が上下方向の幅方向よりも長い細長状で、通気性及び弾性を有するものから構成されている。この実施形態では、袋体２は、ポリエステル系繊維の糸を用いて、前片２ａと後片２ｂとを有する袋状に編まれている。
【００２５】
これにより、袋体２は、全体が弾性を有するものとされているとともに、その前片２ａと後片２ｂとの間に、袋体２とほぼ同長さの材料収納部４を備えており、その材料収納部４に、温熱材料３を収納できるようになっている。
【００２６】
尚、この実施形態の袋体２は、長手方向の左右方向の長さが５００ｍｍ程度、上下方向の長さが１００ｍｍ程度のものから構成されている。
【００２７】
又、この袋体２には、長手方向の左端側（一端側）から右端側（他端側）に順次に配置された第３係止部材５５、５６、第１係止部材５１、５２、第２係止部材５３、５４、及び第４係止部材５７、５８の４つの係止部材が設けられている。
【００２８】
これらの係止部材は、袋体２を身体の首部等の一部に当てた状態に保持させる保持手段としてのもので、第１係止部材５１、５２は、袋体２の長手方向の左端から所定の距離を隔てた位置に配置されている。この実施形態では、第１係止部材５１、５２は、袋体２の左端から、袋体２の長さの１／５程度の距離だけ中央寄りの位置とされている。
【００２９】
又、この実施形態における第１係止部材５１、５２は、袋体２の幅方向の上下両側夫々に配置された係止片としての雌雄一対の第１雄ボタン片５１と第１雌ボタン片５２とを備えている。
【００３０】
第１雄ボタン片５１は、前片２ａ側に押圧操作部５１ａを備え、後片２ｂ側に係止凸部５１ｂを備えている。そして、この第１雄ボタン片５１は、袋体２の上端縁から下方側に所定の距離だけ入った位置（この実施形態では、２０ｍｍ程度）に取り付けられている。
【００３１】
より詳しくは、図４に示すように、第１雄ボタン片５１の係止凸部５１ｂを、袋体２の前片２ａ及び後片２ｂ夫々に設けられたボタン取付孔２ｃに、前片２ａのボタン取付孔２ｃから後片２ｂのボタン取付孔２ｃに通すようにして、袋体２の前片２ａ及び後片２ｂに取り付けられている。
【００３２】
このようにして取り付けられた第１雄ボタン片５１の押圧操作部５１ａは、袋体２の前片２ａ側に配され、その係止凸部５１ｂは、袋体２の後片２ｂ側に配されている。又、この第１雄ボタン片５１によって、袋体２の前片２ａの一部と後片２ｂの一部とが互いに連結した状態になっている。
【００３３】
第１雌ボタン片５２は、前片２ａ側に押圧操作部５２ａを備え、後片２ｂ側に、上記係止凸部５１ｂに係脱自在に係止する係止凹部５２ｂを備えている。
【００３４】
そして、この第１雌ボタン片５２は、袋体２の上下中央線に対して上記第１雄ボタン片５１とほぼ上下対称となる位置に配され、上記第１雄ボタン片５１と同様にして袋体２に取り付けられている。
【００３５】
又、このようにして袋体２に取り付けられた第１雄ボタン片５１と第１雌ボタン片５２とにより、図１に示すように袋体２の材料収納部４の左側部が、第１区画収納室４３と第２区画収納室４４とに区画されている。
【００３６】
又、第１雄ボタン片５１と第１雌ボタン片５２とによって、それらの間の部分に、材料収納部４における他の部分の断面積よりも断面積が小さい第１狭小連通口４１が形成されており、この第１狭小連通口４１によって、第１区画収納室４３と第２区画収納室４４とが、温熱材料を互いに移動可能に連通されている。
【００３７】
従って、これらの第１雄ボタン片５１と第１雌ボタン片５２とにより構成される第１係止部材は、材料収納部４の一部を２つの区画収納室に区画するとともに、それらの間に狭小連通口を形成する区画部材としての機能をも果たしている。
【００３８】
第２係止部材５３、５４は、係止片としての雌雄一対の第２雄ボタン片５３と第２雌ボタン片５４とを備えている。この第２雄ボタン片５３と第２雌ボタン片５４とは、上記第１雄ボタン片５１と第１雌ボタン片５２との夫々と同構成を採っている。
【００３９】
ただし、第２雄ボタン片５３は第２雌ボタン片５４の下側に配されている。又、第２雄ボタン片５３は、袋体２の左右中央線に対して第１雌ボタン片５２と略左右対称となる位置に配されている。また、その押圧操作部５３ａが袋体２の後片２ｂ側に、係止凹部５３ｂが前片２ａ側に、夫々、なるようにして取り付けられている。
【００４０】
第２雌ボタン片５４は、袋体２の左右中央線に対して第１雄ボタン片５１と略左右対称となる位置に配されているとともに、押圧操作部５４ａが袋体２の後片２ｂ側に、係止凹部５３ｂが前片２ａ側に、夫々なるようにして取り付けられている。
【００４１】
又、このようにして袋体２に取り付けられた第２雄ボタン片５３と第２雌ボタン片５４とにより、袋体２の材料収納部４の右側部が、上記の第２区画収納室４４と第３区画収納室４５とに区画されている。
【００４２】
又、第２雄ボタン片５３と第２雌ボタン片５４とによって、それらの間の部分に、材料収納部４における他の部分の断面積よりも断面積が小さい第２狭小連通口４２が形成されている。そして、この第２狭小連通口４２によって、第２区画収納室４４と第３区画収納室４５とが、温熱材料３を互いに移動可能に連通されている。
【００４３】
従って、これらの第２雄ボタン片５３と第２雌ボタン片５４とにより構成される第２係止部材は、上記第１係止部材と同様に、材料収納部４の一部を２つの区画収納室に区画するとともに、それらの間に狭小連通口を形成する区画部材としての機能をも果たしている。
【００４４】
次に、第３係止部材５５、５６について説明する。第３係止部材５５、５６は、袋体２の左端に設けられており、係止片としての雌雄一対の第３雄ボタン片５５と第３雌ボタン片５６とを備えている。この第３雄ボタン片５５は、上記第１雄ボタン片５１と同構成を採り、又、第３雌ボタン片５６は、上記第１雌ボタン片５２と同構成を採っている。
【００４５】
又、これらの第３雄ボタン片５５と第３雌ボタン片５６は、上記第１係止部材５１、５２と同様に、第３雄ボタン片５５が第３雌ボタン片５６の上側に配されているとともに、押圧操作部５５ａ、５６ａが袋体２の前片２ａ側に、係止凸部５５ｂ、係止凹部５６ｂが袋体２の後片２ｂ側に、夫々配されている。
【００４６】
第４係止部材５７、５８は、袋体２の右端に設けられており、係止片としての雌雄一対の第４雄ボタン片５７と第４雌ボタン片５８とを備えている。この第４雄ボタン片５７は、上記第２係止部材の第２雄ボタン片５３と同構成を採り、又、第４雌ボタン片５８は、上記第２雌ボタン片５４と同構成を採っている。
【００４７】
又、これらの第４雄ボタン片５７と第４雌ボタン片５８とは、上記第２係止部材５３，５４と同様に、第４雄ボタン片５７が第４雌ボタン片５８の下側に配されているとともに、押圧操作部５７ａ、５８ａが袋体２の後片２ｂ側になるように配されている。
【００４８】
尚、これらの配置位置は、第４雄ボタン片５７が、袋体２の左右中央線に対して第３雌ボタン片５６と略左右対称となる位置に、第４雌ボタン片５８は、上記上下中央線に対して第３雄ボタン片５５と略左右対称となる位置とされている。
【００４９】
又、この実施形態の袋体２には、長手方向の左端と右端とに、夫々、第１操作把持部としての左操作把持部６１、第２操作把持部としての右操作把持部６２が、左端、右端夫々から突出するように設けられている。これらの操作把持部６１、６２は、袋体２と同じ素材から所定幅に編まれることにより形成された弾性を有する帯状のものから構成されている。
【００５０】
左操作把持部６１は、その一端が、袋体２の左上端に連結され、その他端が袋体２の左下端に連結されている。これにより、左操作把持部６１と袋体２とで、手挿入孔７を有するリング部が形成され、手挿入孔７に手を入れて左操作把持部６１を把持できるようになっている。
【００５１】
又、左操作把持部６１には、係止部材の一部を構成する第５係止部材６３、６４が設けられている。この実施形態の第５係止部材６３、６４は、係止片としての第５雄ボタン片６３及び第５雄ボタン片６３の下方側に配置された第５雌ボタン片６４とを備えている。
【００５２】
第５雄ボタン片６３は、上記第１雄ボタン片５１と同構成を採り、第５雌ボタン片６４は、上記第１雌ボタン片５２と同構成を採っている。又、これらの第５雄ボタン片６３と第５雌ボタン片６４とは、上記第１雄ボタン片５１と第１雌ボタン片５２との距離と同程度の距離をもって配置されている。
【００５３】
右操作把持部６２は、上記操作把持部６１と同構成を採っている。又、右操作把持部６２には、係止部材の一部を構成する第６係止部材６５、６６が設けられている。そして、この第６係止部材６５、６６は、係止片としての第６雄ボタン片６５と第６雌ボタン片６６とを備えている。
【００５４】
第６雄ボタン片６５は、上記第１雄ボタン片５１と同構成を採り、第６雌ボタン片６６は、上記第１雌ボタン片５２と同構成を採っている。ただし、この第６雄ボタン片６５は、第６雌ボタン片６６の下方側に配置されている。
【００５５】
次に、温熱材料３について説明する。この実施形態では、温熱材料３として、二酸化ケイ素（ＳｉＯ２）を原材料とした粒状のシリカゲルが用いられている。シリカゲルは、大気中の水分を吸着する。実験結果では、相対湿度が３０％のとき、シリカゲル１００グラムに対して水分１８グラムを保有し、相対湿度６０％のとき、シリカゲル１００グラムに対して水分２９グラムを保有する。又、相対湿度９０％のとき、シリカゲル１００グラムに対して水分３５グラムを保有する。
【００５６】
従って、水分を吸着したシリカゲルを電子レンジ等の加熱手段によって加熱すると、電子レンジの高周波がシリカゲル中の水分温度を上げて蒸気熱を発生する。蒸気熱は適当な湿度を含んだ湿熱を有することとなるので、この湿熱を身体の患部に当てると、穏やかに患部を温めることができ、快適な温熱治療を患部に施すことができる。
【００５７】
このようなシリカゲルは、袋体２の材料収納部４に収納されている。材料収納部４に収納されるシリカゲルの量は、特に限定されないが、この実施形態では、第１区画収納室４３及び第３区画収納室４５が空の状態で、第２区画収納室４４がほぼ満たんになる程度の量にしている（図９参照）。
【００５８】
以上のように構成された本発明の温熱具を使用するに際しては、まず、温熱具１を加熱手段としての電子レンジで温める。例えば５００Ｗから７００Ｗで約１分間加熱することにより使用に適した程度に温めることができる。
【００５９】
尚、気温２８度、湿度７５％の下で、出力６００ワットの電子レンジで１分間加熱すると、その直後の袋体２の表面温度は、約６０度に温められており、又、３０分経過後も約３４度を維持していた。
【００６０】
この温熱具１によって、身体の一部、例えば首部の全周を温める場合は、温熱材料を、例えば第１区画収納室４３、第２区画収納室４４及び第３区画収納室４５の夫々に満遍なく入れた状態にする（図１の状態）。そして、例えば図１の状態から、首部の後部側に、袋体２の前片２ａを当てるようにして、袋体２の左右両端側を前方側に回し、図５、図６に示すように、第３係止部材５５、５６の径外側に、第４係止部材５７、５８を配置するように巻く。
【００６１】
そして、第３係止部材の第３雄ボタン片５５と第４係止部材の第４雌ボタン片５８とを係止するとともに、第３雌ボタン片５６と第４雄ボタン片５７とを係止する。これにより、首部の全周に温熱具１を巻いた状態で保持できる。
【００６２】
その際、袋体２が弾性を有するため、温熱具１を首部の全周にほぼ密接でき、首部の全周をほぼ均等に温めることができる。
【００６３】
又、例えば首周りが小さく、温熱具１と首部との間に隙間ができるような場合は、例えば図７に示すように第１区画収納室４３の径外側に第３区画収納室４５を配置するようにして、第１係止部材５１、５２と、第４係止部材５７、５８又は第２係止部材５３、５４とを係止する。これにより、首周りが小さい人でも隙間ができるようなことを防止できる。
【００６４】
又、上記のように第１区画収納室４３の径外側に第３区画収納室４５を配置する場合において、例えば第３区画収納室４５に温熱材料３が収納されている場合には、図８（ｂ）に示すように、第１区画収納室４３及び第３区画収納室４５夫々の幅方向の中央部が膨らんだ状態になる。
【００６５】
そのため、例えば第１係止部材の第１雄ボタン片５１と第４係止部材の第４雌ボタン片５８とが、第１雌ボタン片５２と第４雄ボタン片５７とが、夫々、中央部の膨らみが邪魔になって互いに接近し難く、それらを係止させ難い。しかも、両者を係止できた場合でも、中央部の膨らみによって、その係止が外れ易い。
【００６６】
そこで、例えば第３区画収納室４５内の温熱材料を、第２区画収納室４４に入れて第３区画収納室４５を空の状態にしておく。これにより、図８（ａ）に示すように第３区画収納室４５を形成した袋体２の部分をシート状の変形し易い状態にでき、第１区画収納室４３の外周面にその径外側から第３区画収納室４５の部分を容易に沿わすことができる。
【００６７】
従って、第１係止部材の第１雄ボタン片５１と第４係止部材の第４雌ボタン片５８とを、第１雌ボタン片５２と第４雄ボタン片５７とを、夫々、容易に係止させることができる。又、両者を係止した後は、両者の係止が外れ難いものにできる。
【００６８】
又、その際、第２区画収納室４４に入れた温熱材料が第３区画収納室４５に戻ってくると、上述のように両者を係止させ難くなるとともに、両者の係止が外れ易くなる。
【００６９】
しかし、第２区画収納室４４と第３区画収納室４５とを連通した第２狭小連通口４２によって、温熱材料が第２区画収納室４４から第３区画収納室４５に戻り難くなっている。
【００７０】
従って、第１係止部材５１、５２と第４係止部材５７、５８とを係止させる際に、第２区画収納室４４に入れた温熱材料が第３区画収納室４５に戻ってきて、係止させ難くなるようなことを防止できる。
【００７１】
又、例えば身体の腕の肘等の各部、足の太ももや膝などの各部、或るいは肩部を温める場合も、上記と同様にして行うことができる。また、身体の腕の肘等の各部に温熱具１を保持させる場合、例えば第１区画収納室４３の径外側に第３区画収納室４５を配置するように巻いて第１係止部材５１、５２と、第２係止部材５３、５４又は第４係止部材５７、５８とを係止すれば良いため、片手でも容易に行うことができる。
【００７２】
一方、温熱具１を、例えば腰部に装着する場合は、温熱具１を腰部に回して、温熱具１の左右の両操作把持部６１、６２を把持して引っ張り操作し、例えば第５係止部材の第５雄ボタン片６３と第６係止部材の第６雌ボタン片６６とを係止するとともに、第５雌ボタン片６４と第６雄ボタン片６５とを係止する。
【００７３】
これにより、温熱具１を腰部に巻いた状態に保持できる。又、その際、袋体２及び操作把持部６１、６２が弾性を有するため、多少の腰部周りの大きさの異なる人でも温熱具１を腰部に密接できるとともに、確実に装着できる。
【００７４】
尚、上記の場合に、第５係止部材と第６係止部材とを、互いに係止する形態のものに限らず、例えば第６係止部材６５、６６と第３係止部材５５、５６とを係止し、或いは、第６係止部材６５、６６と第１係止部材５１、５２とを係止することもできる。
【００７５】
これにより、腰部に保持する際の温熱具１の周長さ（径の大きさ）を腰部周りの大きさに応じて調整でき、種々の大きさの腰部に密接できるとともに、確実に保持させることができる。
【００７６】
又、例えば首部や肘等の後部側の一部だけを温める場合は、図９に示すように例えば第１区画収納室４３及び第３区画収納室４５内の温熱材料を第２区画収納室４４に、第１狭小連通口４１、第２狭小連通口４２から流し入れる。そして、その状態で、上記と同様にして首部等に装着する。これにより、首や肘等の一部だけを集中的に温めることできる。
【００７７】
又、上記のように温熱材料を全て第２区画収納室４４に集めて使用する場合、図１０、図１１に示すように、第１区画収納室４３を幅方向の中央部から２つに折り返して第１係止部材の第１雄ボタン片５１と第１雌ボタン片５２とを係止する。又は、それに加えて、第３係止部材の第３雄ボタン片５５と第３雌ボタン片５６とを係止する。
【００７８】
これにより、第１狭小連通口４１及び第１区画収納室４３を塞ぐことができ、温熱材料３が第２区画収納室４４から第３区画収納室４５に入り込む恐れの少ないものにできる。
【００７９】
同様に、第２区画収納室４４を幅方向の中央部から２つに折り返して第２係止部材の第２雄ボタン片５３と第２雌ボタン片５４とを係止する。又は、それに加えて、第４係止部材の第４雄ボタン片５７と第４雌ボタン片５８とを係止する。
【００８０】
これにより、第２狭小連通口４２及び第２区画収納室４４を塞ぐことができ、温熱材料３が第２区画収納室４４から第３区画収納室４５に入り込む恐れの少ないものにできる。
【００８１】
そして、この状態で、首や背中に回し、左右の両操作把持部６１、６２を把持して操作することにより、首の一部や背中の一部を集中的に温めることができる。
【００８２】
尚、上記実施形態では、係止部材を、袋体における長手方向の一側方側に第１係止部材と第３係止部材との２つを備え、他側方側に第２係止部材と第４係止部材との２つを備えているが、この形態のものに限らず、両側方側に夫々少なくとも２つ、備えた形態のものであれば良く、適宜変更できる。
【００８３】
例えば長手方向の一側方側に互いに距離を隔てて２つ設け、他側方側に互いに距離を隔てて３つ以上設け、或いは、一側方側に互いに距離を隔てて３つ以上設け、他側方側に互いに距離を隔てて２つ設ける。更には、両側方側に互いに距離を隔てて３つ以上ずつ、設けるようにしても良い。
【００８４】
また、上記実施形態では、材料収納部４を、３つの区画収納室４３、４４、４５に区画しているが、この形態のものに限らず、区画収納室に区画しない形態のものであっても良い。又、区画収納室に区画する場合、区画収納室は、２つ又は４つ以上の区画収納室に区画するようにしても良く、適宜変更し得る。
【００８５】
又、上記実施形態では、第１係止部材〜第４係止部材の各ボタン片を、袋体の前片と後片と取り付けられているが、この形態のものに限らず、適宜変更できる。例えば第１係止部材及び第３係止部材の各ボタン片を袋体の後片に取り付け、第２係止部材及び第４係止部材の各ボタン片を袋体の前片に、第１係止部材及び第３係止部材の各ボタン片と係脱自在に係止できるように取り付けても良い。
【００８６】
また、上記実施形態では、第１係止部材〜第６係止部材を構成する係止片を、ボタン片から構成しているが、例えば面ファスナーから構成することもでき、適宜変更できる。
【００８７】
又、上記実施形態では、第１係止部材〜第６係止部材を、夫々、２つのボタン片から構成しているが、この形態のものに限らず、１又は３以上のボタン片や面ファスナー片から構成しても良く、適宜変更できる。
【００８８】
又、上記実施形態では、袋体を、弾性を有するものから構成しているが、例えば弾性を有しない布から構成しても良く、適宜変更できる。
【００８９】
また、上記実施形態では、温熱材料として、シリカゲルを用いているが、シリカゲルを用いる形態のものに限らず、例えば稲、麦、稗、粟等の粒状の穀類を用いることもでき、穀類を、シリカゲルに代えて、或いは、シリカゲルと共に用いても良く、適宜変更できる。
【００９０】
又、上記実施形態では、温熱材料としてのシリカゲルを直接袋体に入れているが、例えばシリカゲルを内袋に入れ、その内袋に入れたシリカゲルを、区画収納室夫々に入れるようにしても良い。
【００９１】
また、第１係止部材〜第６係止部材の配設位置は、特に限定されず、適宜変更できる。又、本発明の温熱具は、身体に当てる際、肌に直接当てても良いが、衣服の上から当ててもほぼ同様の効果を得ることができる。
【図面の簡単な説明】
【００９２】
【図１】本発明の一実施の形態の温熱具の正面図である。
【図２】その温熱具の背面図である。
【図３】その温熱具の平面図である。
【図４】図１のＩＶ−ＩＶ線拡大断面説明図である。
【図５】第３係止部材と第４係止部材とを係止した状態の温熱具の拡大した正面図である。
【図６】第３係止部材と第４係止部材とを係止した状態の温熱具の拡大した平面図である。
【図７】第１係止部材と第４係止部材とを係止した状態の温熱具の拡大した平面図である。
【図８】図８（ａ）は、第３区画収納室を空にして第１区画収納室の径外側に配置し第１係止部材と第４係止部材とを係止した状態の拡大断面説明図、図８（ｂ）は、第３区画収納室に温熱材料を収納した状態で第１区画収納室の径外側に配置した際の拡大断面説明図である。
【図９】温熱材料を第２区画収納室に集めた状態の平面図である。
【図１０】温熱材料を第２区画収納室に集めて第１係止部材〜第４係止部材の夫々の雄ボタン片と雌ボタン片とを係止した状態の正面図である。
【図１１】図１０の平面図である。
【符号の説明】
【００９３】
１    温熱具
２    袋体
３    温熱材料
４    材料収納部
４１    第１狭小口
４２    第２狭小口
４３    第１区画収納室
４４    第２区画収納室
４５    第３区画収納室
５１    第１雄ボタン片（第１係止部材）
５２    第１雌ボタン片（第１係止部材）
５３    第２雄ボタン片（第２係止部材）
５４    第２雌ボタン片（第２係止部材）
５５    第３雄ボタン片（第３係止部材）
５６    第３雌ボタン片（第３係止部材）
５７    第４雄ボタン片（第４係止部材）
５８    第４雌ボタン片（第４係止部材）
６１    左操作把持部（第１操作把持部）
６２    右操作把持部（第１操作把持部）
６３    第５雄ボタン片（第５係止部材）
６４    第５雌ボタン片（第５係止部材）
６５    第６雄ボタン片（第６係止部材）
６６    第６雌ボタン片（第６係止部材）
【図１】
2009225828.tif 000003
【図２】
2009225828.tif 000004
【図３】
2009225828.tif 000005
【図４】
2009225828.tif 000006
【図５】
2009225828.tif 000007
【図６】
2009225828.tif 000008
【図７】
2009225828.tif 000009
【図８】
2009225828.tif 000010
【図９】
2009225828.tif 000011
【図１０】
2009225828.tif 000012
【図１１】
2009225828.tif 000013